(57)【要約】  無線中継器センブリが記載される。無線中継器センブリは、無線データ通信を受信するための受信機を含み、受信機は、アナログ信号を受信するための受信アンテナと、予め定められた範囲の周波数が受信機増幅器へと通ることを可能にするよう適合される受信機フィルタと、受信機フィルタから放射された信号を昇圧するための受信機増幅器とを含み、無線中継器センブリはさらに無線データ通信を送信するための送信機とを含み、送信機は受信機から来る信号を昇圧するための送信機増幅器と、予め定められた範囲の周波数が送信アンテナへと通ることを可能にするよう適合された送信機フィルタと、中継器センブリから信号を送信するための送信アンテナとを含み、前記受信機および送信機の間に配線接続とを含み、受信機と送信機とは有線通信している。無線中継器センブリは約６０ＧＨｚで作動することができる。
2009535975.tif 000002
【特許請求の範囲】
【請求項１】
無線中継器センブリであって、
無線データ通信を受信するための受信機を含み、前記受信機は、
アナログ信号を受信するための受信アンテナと、
予め定められた範囲の周波数が受信機増幅器へと通ることを可能にするために適合された受信機フィルタと、
受信機フィルタから放射された信号を昇圧する受信機増幅器とを含み、前記無線中継器センブリはさらに、
無線データ通信を送信するための送信機を含み、前記送信機は、
受信機から来る信号を昇圧するための送信機増幅器と、
予め定められた範囲の周波数が送信アンテナへと通ることを可能にするために適合された送信機フィルタと、
中継器センブリから信号を送信するための送信アンテナとを含み、前記無線中継器センブリはさらに、
受信機と送信機との間に配線接続を含み、受信機および送信機は有線通信している、無線中継器センブリ。
【請求項２】
受信アンテナは約６０ＧＨｚで受信するよう調整され、送信アンテナは約６０ＧＨｚで送信するよう調整される、請求項１に記載の無線中継器センブリ。
【請求項３】
受信アンテナは高利得アンテナを含み、受信機フィルタは帯域通過フィルタを含み、受信機増幅器は低雑音増幅器を含む、請求項２に記載の無線中継器センブリ。
【請求項４】
送信機増幅器は電力増幅器を含み、送信機フィルタは帯域通過フィルタを含み、送信アンテナは高利得アンテナを含む、請求項２に記載の無線中継器センブリ。
【請求項５】
受信アンテナは高利得アンテナを含み、受信機フィルタは帯域通過フィルタを含み、受信機増幅器は低雑音増幅器を含み、送信機増幅器は電力増幅器を含み、送信機フィルタは帯域通過フィルタを含み、送信アンテナは高利得アンテナを含む、請求項２に記載の無線中継器センブリ。
【請求項６】
無線中継器センブリは壁を通して第２の無線中継器センブリに送信することができ、無線中継器センブリおよび第２の無線中継器センブリは、対向する壁の両側で互いに近接する、請求項２に記載の無線中継器センブリ。
【請求項７】
データを確保するために受信機と送信機との間に位置決めされたバッファメモリをさらに含む、請求項５に記載の無線中継器センブリ。
【請求項８】
受信機はさらにアナログデジタルコンバータを含み、送信機はさらにデジタルアナログコンバータを含む、請求項７に記載の無線中継器センブリ。
【請求項９】
無線中継器センブリは光源の電力アダプタと通信し、無線中継器センブリは電力アダプタから動作電力を得る、請求項６に記載の無線中継器センブリ。
【請求項１０】
無線中継器センブリは地面の少なくとも２メータ上に位置決めされる、請求項７に記載の無線中継器センブリ。
【請求項１１】
無線中継器は、無線中継器センブリの５メータ以内で約６０ＧＨｚで作動するアナログ信号について、方位角において約９０度、仰角において約９０〜１８０度の範囲で走査す
ることができる、請求項７に記載の無線中継器センブリ。
【請求項１２】
無線中継器センブリは直流で動力供給される、請求項７に記載の無線中継器センブリ。
【請求項１３】
液晶ポリマを含む最上層を含み、最上層は最上層キャビティを規定し、さらに
耐火物４を有する下端層を含む、無線中継器センブリ。
【発明の詳細な説明】
【技術分野】
【０００１】
発明の背景
１．  発明の分野
この発明は、通信網と、より特定的には、超高速パーソナルエリアネットワークにおける受信機および送信機を含む無線中継器とに関する。
【背景技術】
【０００２】
２．  関連技術の説明
世界が電子装置および携帯装置にさらに頼るようになるにつれて、より高速でより便利な装置に対する要望が引続き増大している。したがって、そのような装置の製造業者および設計者は、消費者の需要に応えるように、より高速でより容易に使える装置を製造するよう努力している。
【０００３】
実際、特に多くの新しいマルチメディア用途の出現に起因して、超高速データレート無線通信の需要が増加している。これらの高速データレートでは制限があるので、超高速パーソナルエリアネットワーキング（ＰＡＮ）および一対一ポイントまたは一対多ポイントデータリンクの需要が重要になる。
【０００４】
以前は、従来の無線ローカルエリアネットワーク（ＷＬＡＮ）、たとえば８０２．１１ａ、８０２．１１ｂ、８０２．１１ｇ規格は、最良の場合で、僅かに５４Ｍｂ／ｓのデータレートに限定される。超広帯域（ＵＷＢ）および複数入力／複数出力（ＭｌＭＯ）システムなどの他の高速無線通信は、１００Ｍｂ／ｓまでデータレートを拡張することができる。
【０００５】
毎秒ギガビット（Ｇｂ／ｓ）のスペクトルを通って進むためには、スペクトル効率または利用可能な帯域幅のいずれかが増大されなければならない。結果として、ミリメートル波（ＭＭＷ）周波数で作動する最近の技術およびシステムの開発は、そのようなデータ速度に達することに対する要求につれて増大している。
【０００６】
幸運にも、多くの政府が、数ＧＨｚ（ギガヘルツ）帯域幅のライセンスされていない産業、科学、医療機器用（ＩＳＭ）帯域を６０ＧＨｚのスペクトルにおいて利用可能にしている。たとえば米国は、連邦通信委員会（ＦＣＣ）を通して、米国内のライセンスされていない用途に５９−６４ＧＨｚを割当てた。同様に、日本は高速データ通信に５９−６６ＧＨｚを割当てた。また、ヨーロッパは広帯域移動通信およびＷＬＡＮ通信用に５９−６２、６２−６３、および６５−６６ＧＨｚを割当てた。このスペクトルにおいて周波数が利用可能であることは、超高速短距離無線通信の機会を示すものである。
【発明の開示】
【発明が解決しようとする課題】
【０００７】
不都合にも、高周波の利点をもってしても、いくつかの根本的な欠点がある。たとえば、６０ＧＨｚの高速屋内通信システムの１つの根本的な制限は、見通し線（line of sight）（ＬＯＳ）の、しばしば人体による妨害によって生じる、シャドウイング効果によるチャネル劣化である。たとえば個人または他の物体が、たとえば送信機と受信機の間の見通し線に単に入ることによって、通信システムの伝達に干渉した場合、通信信号が衰えるか、または一時的に完全に失われることがある。したがって、最良の伝達は直接的なＬＯＳ関係で達成することができる。
【課題を解決するための手段】
【０００８】
したがって、必要となるのは、超高速データ送信における極高周波の効率的かつ便利な伝達のための容易かつ邪魔のないＬＯＳを可能にするための装置およびシステムである。この発明が本来検出されるのは、そのような装置である。
【０００９】
発明の概略
この発明は、超高速無線通信のための無線中継器センブリである。無線中継器センブリは、受信機と通信する第１のアンテナと、送信機と通信する第２のアンテナとを含む。
【００１０】
中継器の受信機および送信機は、自動機械的走査システムに取付けることができるか、または電子走査性能を特徴とする。したがって、中継器は、戦略的に位置決めされた基地局との位置合わせを自動的に実行することができる。
【００１１】
代替的には、マルチセクタ中継器は、扇形の受信範囲を与えるＮ個の受信機／送信機を含み、したがって、多くの走査機構の需要を緩和することができる。
【００１２】
好ましくは、中継器の第１のアンテナおよび第２のアンテナは、約６０ＧＨｚ、つまり５４〜６６ＧＨｚの範囲で作動することができ、少なくとも約５Ｇｂ／ｓでデータ通信を送受信する。
【００１３】
この発明は、中継器が中継器に近接した他の受信機および送信機と通信するために見通しの喪失の問題を最小限にするよう、戦略的に位置決めされた中継器を与える。
【００１４】
無線中継器センブリは、無線データ通信を受取るための受信機を含むことができ、そこで受信機は、アナログ信号を受取るための受信アンテナと、予め定められた範囲の周波数が受話機増幅器へと通ることを可能にするよう適合された受信機フィルタと、受信機フィルタから放射された信号を昇圧するための受信機増幅器とを含み、さらに無線データ通信を送信するための送信機を含み、そこで送信機は、受信機から来る信号を昇圧するための送信機増幅器と、予め定められた範囲の周波数が送信アンテナへと通ることを可能にするよう適合された送信機フィルタと、中継器センブリからの信号を送信するための送信アンテナとを含み、さらに受信機および送信機の間に配線接続を含み、受信機および送信機は有線通信している。
【００１５】
受信アンテナは約６０ＧＨｚを受取るよう調整され得、送信アンテナは約６０ＧＨｚで送信するよう調整される。
【００１６】
受信アンテナは高利得アンテナを含むことができ、受信機フィルタは帯域通過フィルタを含むことができ、そこで受信機増幅器は低雑音増幅器を含むことができる。送信機増幅器は電力増幅器を含むことができ、送信機フィルタは帯域通過フィルタを含むことができ、そこで送信アンテナは高利得アンテナを含むことができる。
【００１７】
無線中継器は、受信機と送信機との間に位置決めされたデータを確保するためのバッファメモリをさらに含むことができる。
【００１８】
受信機はさらにアナログデジタルコンバータを含むことができ、送信機はさらにデジタルアナログコンバータを含むことができる。
【００１９】
無線中継器センブリは少なくとも２層、最上層および下端層を含むことができ、そこで最上層は液晶ポリマを含み、下端層は耐火物４を含む。
【００２０】
無線中継器は光源の電力アダプタと通信することができ、無線中継器センブリは電力アダプタから動作電力を得る。さらに、無線中継器センブリは地面から少なくとも２メータ上に位置決めされることができる。
【００２１】
無線中継器センブリは壁を通して第２の無線中継器センブリに送信することができ、無線中継器センブリおよび第２の無線中継器センブリは、対向する壁の両側で互いに近接する。
【００２２】
無線中継器は、無線中継器センブリの５メータ以内で約６０ＧＨｚで作動するアナログ信号について方位角で約９０度、また仰角で約９０〜１８０度の範囲を走査することができる。無線中継器センブリは好ましくは直流で電力供給される。
【００２３】
この発明のこれらの、および他の目的、機構ならびに利点は、添付の図面に関連して以下の説明を読むことでより明らかになるだろう。
【発明を実施するための最良の形態】
【００２４】
発明の詳細な説明
発明の原理および機構についての理解を容易にするために、例示的な実施例における実現例を参照して以下に説明する。この発明は、特に、通信信号の反復を可能にする無線中継器センブリのコンテキストで記載され、さらに、無線送信機の範囲を拡張する。
【００２５】
しかしながら、この発明は、超高速通信用無線中継器センブリとしての使用に限定されない。むしろこの発明は、中継器が所望されるとき、または必要に応じて、用いることができる。したがって、無線中継器として下記に記載される装置はまた、無線中継器の用途を越えて、他の応用例のための装置としての用途を見つけることができる。
【００２６】
さらに、この発明のさまざまな要素を構築する以下に記載される材料は、例示的であって限定的ではないように意図される。本願明細書に記載した材料と同じまたは同様の機能を実行する多くの適切な材料がこの発明の範囲内に包含されるように意図される。本願明細書に記載されないそのような他の材料は、たとえばこの発明の開発後に開発された材料を含むことができるが、これらに限定されない。
【００２７】
この発明は好ましい周波数範囲内で作動するように記載されるが、当業者は、中継器センブリがほとんどの利用可能な周波数で作動できることを認識するであろう。さらに、この発明が好ましいデータ送信速度の範囲で作動するように記載されるが、当業者は、中継器センブリがほとんどのデータ送信速度で作動できることを認識するであろう。
【００２８】
図１は、通信信号を繰り返し、無線送信機の範囲を拡張するための、無線中継器センブリ１００を示す。無線中継器センブリ１００は受信機１１０および送信機１２０を含む。受信機１１０は、アンテナ１１２、フィルタ１１４および増幅器１１６を含むことができる。中継器センブリ１００の受信機１１０は、特定の周波数で送信する信号を受信するよう適合されてもよい。送信機１２０は、増幅器１２２、フィルタ１２４およびアンテナ１２６を含むことができる。中継器センブリ１００の送信機１２０は、特定の周波数で信号を送信するよう適合されてもよい。
【００２９】
好ましい実施例では、中継器センブリ１００の受信機１１０および送信機１２０は通信している。実際、好ましくは、受信機１１０と送信機１２０とは配線接続１３０を介して通信している。
【００３０】
受信機１１０はアンテナ１１２を含む。好ましくは、アンテナ１１２は約６０ＧＨｚ、
すなわち５４〜６６ＧＨｚの範囲の周波数を受信するよう適合されている。アンテナ１１２は、焦点を絞った狭い電波ビーム幅を有するアンテナである高利得アンテナであり得る。狭いビーム幅により、信号を得るのに正確にターゲットとすることができる。高利得アンテナはしばしば指向性アンテナとも呼ばれる。好ましくはより広い放射範囲を示す中利得アンテナは、マルチセクタ実施例で用いることができる。
【００３１】
受信機１１０はさらにフィルタ１１４を含む。好ましくは、フィルタ１１４は帯域通過フィルタである。典型的には、帯域通過フィルタは、一定の範囲をフィルタして、周波数が通り抜けるのを可能にする電子回路であり得る。好ましい帯域通過フィルタは、たとえば５４〜６６ＧＨｚの範囲の周波数が通ることができるようにする一方で、設定範囲外の周波数は減衰されるか、または消失する。
【００３２】
受信機１１０はさらに増幅器１１６を含むことができる。増幅器１１６は、好ましくは低雑音増幅器である。低雑音増幅器は、信号対雑音比を劣化させることなく、フィルタ１１４によってフィルタされた信号に昇圧を与えるか、またはその利得を増加させることができる。
【００３３】
送信機１２０は増幅器１２２を含む。好ましくは、増幅器１２２は電力増幅器である。電力増幅器は信号を昇圧することができ、より大きな負荷を生成する。
【００３４】
送信機１２０はさらにフィルタ１２４を含む。フィルタ１２４は、好ましい実施例では、帯域通過フィルタであり得る。
【００３５】
送信機１２０はさらにアンテナ１２６を含む。受信機１１０用のアンテナ１１２のように、送信機１２０用のアンテナ１２６は、好ましくは高利得アンテナであって、中継器センブリ１００から信号を送信するよう適合されている。
【００３６】
この発明の好ましい実施例では、中継器センブリ１００は、送信機１２０および受信機１１０をそれぞれ通して、５４〜６６ＧＨｚの範囲で送受信することができる。典型的には、この範囲、すなわち約６０ＧＨｚは、短距離用途で用いられる装置を含む。
【００３７】
図２は別の中継器センブリ２００を示す。中継器センブリ２００が示される。中継器センブリ２００は、受信機アンテナ２０２、受信機２０４、バッファメモリ装置２０６、送信機２０８、および送信機アンテナ２１０を含む。
【００３８】
受信機アンテナ２０２は上述のアンテナ１１２に類似した作動をする。受信機アンテナ２０２は受信機２０４と通信している。受信機２０４はＡＤＣ、すなわちアナログデジタルコンバータを含むことができる。ＡＤＣは信号をアナログからデジタル信号に変換する。受信機アンテナ２０２から得られたアナログ信号はデジタル信号に変換される。好ましくは、受信機２０４は約６０ＧＨｚで作動することができる。
【００３９】
特に受信機２０４が送信機２０８と通信しているとき、バッファメモリ装置２０６がデータを包含するよう適合されてもよい。好ましくは、送信機２０８はＤＡＣ、すなわちデジタルアナログコンバータを含む。ＤＡＣは、デジタル信号をアナログ信号に変換し、そこで中継器２００は送信機アンテナ２１０を介してデジタル信号を送信することができる。送信機２０８は約６０ＧＨｚで作動することができる。
【００４０】
例示的な実施例では、図３に示されるように、中継器センブリは装置通信スキームで実行することができる。たとえば、装置３００は内蔵モジュール３０５またはプラグ接続可能なモジュール３１０のいずれかを有することができる。内蔵モジュール３０５は装置３
００内蔵であってもよい。代替的には、プラグ接続可能なモジュール３１０が装置３００の背面側にプラグ接続可能である。好ましくは、装置３００の背面側は専用デジタルインターフェースを含む。結果として、モジュール３０５または３１０の使用を通じて、通信配線が減じられ、またはある場合にはなくすことさえできる。
【００４１】
好ましい実施例では、中継器センブリのモジュール３０５および３１０は、少なくとも２層、最上層３１２および下端層３１４を含むことができる。最上層３１２は好ましくは液晶ポリマ（ＬＣＰ）で構成される一方、下端層３１４は好ましくはＦＲ４（耐火物４）から構成される。最上層３１２および下端層３１４は、接着剤、好ましくは３Ｍ−９７１３で接続される。
【００４２】
特許出願「マルチギガビット無線システムのための受信機アセンブリおよび方法（Receiver Assembly and Method for Multi-Gigabit Wireless Systems）」は、さらにこの基板の層状化を記載する。同じ発明主体を有するこの特許出願は本願と同じ日付（２００６年３月３１日）に出願され、全内容および要旨が本願明細書に引用によって援用される。
【００４３】
さらに、モジュール３０５および３１０とともに高利得、高指向性アンテナを使用することにより、装置３００を構築し、または保持／固定し得る、たとえば木および／またはガラスなどの材料３１５を通したデータ送信が可能になり得る。モジュール３０５および３１０のアンテナの高指向性により、異なる装置間無線モジュール間では近接した位置合わせが好ましい。
【００４４】
実際、この概念は、図４に示されるように、別の実施例に拡張することができ、無線中継器４００は装置間ドッキングに用いることができる。無線中継器４００はテーブルの上に、または示されるようにデスクの上に、位置することができる。次いで、無線中継器４００はドッキング用途に対応するための遠隔の基地局として実行することができる。
【００４５】
たとえば、無線中継器４００は、いくつかの周辺装置、たとえばラップトップ、デジタルカメラ、モニタ、移動音楽装置（ＭＰ３プレーヤー）、プリンタ、スキャナ、デスクトップなどと通信することができる。
【００４６】
ここで図５を参照して、６０ＧＨｚの無線ドッキングステーション用のピラミッド形マルチセクタアンテナ５００が示される。ピラミッド形アンテナ５００は、好ましくは方位角で３６０度をカバーすることができる。マルチセクタアンテナ５００のセクタの各々は、必要な、または所望のカバー範囲に依存して、低利得から中利得の単一パッチアンテナ、または１×２のパッチアンテナアレイ５１０を支持することができる。さらに、線偏波または円偏波型アンテナを用いることができる。好ましい実施例では、ピラミッド形のアンテナ５００の寸法は、約ｌ．８×１．８×１．８立方センチメートルの好ましい体積でその集積化（integration）と互換性をもつ。
【００４７】
記載されたように、超高周波、超高速通信の制限のうち１つは、見通し線の制限である。図６は、中継器６００が見通し線の制限を減じるのにどのくらい有用になり得るかを示す多くの例を示す。示されるように、この制限は経路冗長性の確立により克服することができる。図６の図は、単一の中継器６００が、妨害のある典型的な場合において、単一の部屋内で十分な経路冗長性を形成することができることを示す。２つ以上の中継器６００を使用することにより、このように向上した中継器システムを形成することができ、そこでは、送信機６１０から受信機６２０に信号を送信するために、すべてでないにしてもほとんどの妨害を回避することができる。
【００４８】
図７は、受信機７１０の例示的な高水準アーキテクチャを示す。このアーキテクチャは
、所望のカバー範囲およびアンテナの選択に依存して、マルチセクタ構成に配置することができる複数のトランシーバ（受信機プラス送信機）を含む。図７は２セクタの例を示す。
【００４９】
図７の無線中継器７００は受信機７１０および送信機７２０を含むことができる。受信機７２０および送信機７２０は、中継器７００が周辺の基地局との最適の位置合わせを自動的に実行することができる、自動機械走査システムに取付けることができる。一連の機械走査の範囲は、必要なカバー範囲を確立し、与えるために、方位角において好ましくは約９０度、仰角において約９０〜１８０度である。特に中継器７００が送信基地局に近接して位置決めされ、十分な電力を受取り、かつ受容可能な信号対雑音比を維持する場合には、受信機７１０のための全方向型指向性アンテナの使用によって、複雑さおよびシステムコストさえも減じることができる。好ましくは、中継器７００は、シャドウイングおよびリンク中断を減じるため、かつ人体の妨害をしばしば回避するために、地面から約２メータのところに位置決めされる。
【００５０】
無線中継器に動力を供給することは困難である。中継器が無線なので、消費者が無線中継器に最も望まないものは電力配線である。したがって、屋内環境の既存の照明装置と通信する無線中継器の配置が有利である。まず、既存の電源の使用により、無線中継器のための付加的な電気配線および設置の需要が抑えられる。第２に、照明装置は典型的には地面の上に位置するため、異なる無線ノード間に見通線伝搬経路を容易に確立するのに好適である。
【００５１】
図８は、無線中継器のための電力アダプタアセンブリ８００を示す。好ましい実施例では、電力アダプタアセンブリ８００は、見通し線妨害またはスルーウォールリンクなどの、強固な６０ＧＨｚ、５Ｇｂ／ｓの無線リンクを可能にすることができる。６０ＧＨｚの高速屋内通信システムの根本的な制限は、多くの場合、人体による見通し線の妨害とともに生じるシャドウイング効果によるチャネル劣化である。著しいシャドウイング状態において、受信信号が感度しきい値以下に落下するとすぐに第２のアクセスポイントに切替えることにより、マクロダーバーシティが適用され得る。さらに、アクセスポイントの位置および構成（たとえば天井に取付けたベースアンテナ、コーナ部に取付けたベースアンテナおよび／または壁に取付けたベースアンテナ）は、純粋なチャンネル性能を保証するための重要なパラメータと考えられる。
【００５２】
このように、無線中継器は小さな形状因子を有することができるので、既存の照明装置９００の中にプラグインすることができる。これは図９に示される。好ましい実施例では、電力アダプタ８００の使用は、取付けられた６０ＧＨｚの無線中継器を多くの既存の照明装置で受入れるよう適合されることができる。さらに、新しい照明システムは、無線ノード、または無線中継器とともに設置されることができる。
【００５３】
図１０は、壁１００５を通して送信するよう適合された無線中継器１０００を示す。たとえば、無線中継器１０００は、６０ＧＨｚの信号を（電気的または光学的な）配線接続なしで隣接した部屋に送信する、スルーウォール（コンクリート、石膏ボードなど）リンクを与えることができる。好ましくは、各無線スルーウォール中継器１０００は受信機１０１０および送信機１０２０を含む。
【００５４】
スルーウォール中継器１０００の受信機／送信機は自動機械走査システムに取付けられ、かつ／または、扇形のカバー範囲を支持するためにマルチセクタトポロジを特色とすることができる。したがって、中継器１０００は、好ましくは中継器１０００と同じ部屋内で、近接して位置する基地局との最適の位置合わせを自動的に実行することができる。好ましくは、機械走査の範囲は、好ましいカバー範囲を与えるために、方位角において約１
８０度、仰角において約９０〜１８０度の範囲である。さらに、好ましい実施例では、中継器１０００は、人体の妨害によるシャドウイングおよびリンク中断を減じる、地上少なくとも２メータのところに位置決めされる。
【００５５】
スルーウォールの中継器１０００の専用受信機／送信機は、中継器１０００の背面に固定することができ、そこで壁と直接接触する。２装置の実施例は、好ましくは壁の両側で、好ましくは＋／−５ｃｍ内で位置合わせされ、強固なリンク機構を与える。
【００５６】
中継器１０００は、（上述され、また参照された特許出願の）ＬＣＰ−ＦＲ４技術で実現された受信機１０１０（たとえば６０ＧＨｚのモジュール）、および送信機１０２０（たとえば６０ＧＨｚのモジュール）を含むことができる。中継器モジュール（図２を参照）の改良型は、完全な送受信機および基地局と中継器との間の著しいリンク中断を補うバッファメモリを含む。
【００５７】
本願明細書に記載された無線中継器は、好ましくはＤＣ（直流）電源で作動することができる。たとえば、ＤＣ電源は、電池、標準ＡＣ−ＤＣプラグ、または照明システムにプラグ接続して電力を導き出すＡＣ−ＤＣアダプタであり得る。
【００５８】
この発明は好ましい形で開示されているが、以下の請求項に述べられるようなこの発明とその等価物との精神および範囲から逸脱せずに、多くの修正、追加および削除をなすことができることは、当業者には明らかであろう。
【図面の簡単な説明】
【００５９】
【図１】この発明の好ましい実施例に従う無線中継器センブリを示す図である。
【図２】この発明の好ましい実施例に従う無線中継器センブリの別の実施例を示す図である。
【図３】この発明の好ましい実施例に従う、無線中継器センブリを用いた装置間通信スキームを示す図である。
【図４】この発明の好ましい実施例に従う、無線中継器センブリを用いた装置間ドッキングシステムを示す図である。
【図５】この発明の好ましい実施例に従う、ピラミッド形のマルチセクタアンテナを示す図である。
【図６】この発明の好ましい実施例に従う、別の送信機および受信機との関係における無線中継器センブリの位置決めの多くの図を示す。
【図７】この発明の好ましい実施例に従う、送信／受信データ通信の角度を示す、無線中継器環境を示す図である。
【図８】この発明の好ましい実施例に従う、無線中継器センブリ用の電力アダプタアセンブリを示す図である。
【図９】この発明の好ましい実施例に従う、無線中継器センブリ用の電力アダプタを位置決めする例示的な実施例を示す。
【図１０】この発明の好ましい実施例に従う、スルーウォール中継器センブリを示す図である。
【図１】
2009535975.tif 000003
【図２】
2009535975.tif 000004
【図６】
2009535975.tif 000005
【図７】
2009535975.tif 000006
【図８】
2009535975.tif 000007
【図９】
2009535975.tif 000008
【図１０】
2009535975.tif 000009
【図３】
2009535975.tif 000010
【図４】
2009535975.tif 000011
【図５】
2009535975.tif 000012
【誤訳訂正書】
【提出日】平成21年1月20日(2009.1.20)
【誤訳訂正１】
【訂正対象書類名】特許請求の範囲
【訂正対象項目名】全文
【訂正方法】変更
【訂正の内容】
【特許請求の範囲】
【請求項１】
無線中継器アセンブリであって、
無線データ通信を受信するための受信機を含み、前記受信機は、
アナログ信号を受信するための受信アンテナと、
予め定められた範囲の周波数が受信機増幅器へと通ることを可能にするために適合された受信機フィルタと、
受信機フィルタから放射された信号を昇圧する受信機増幅器とを含み、前記無線中継器アセンブリはさらに、
無線データ通信を送信するための送信機を含み、前記送信機は、
受信機から来る信号を昇圧するための送信機増幅器と、
予め定められた範囲の周波数が送信アンテナへと通ることを可能にするために適合された送信機フィルタと、
中継器アセンブリから信号を送信するための送信アンテナとを含み、前記無線中継器アセンブリはさらに、
受信機と送信機との間に配線接続を含み、受信機および送信機は有線通信している、無線中継器アセンブリ。
【請求項２】
受信アンテナは約６０ＧＨｚで受信するよう調整され、送信アンテナは約６０ＧＨｚで送信するよう調整される、請求項１に記載の無線中継器アセンブリ。
【請求項３】
受信アンテナは高利得アンテナを含み、受信機フィルタは帯域通過フィルタを含み、受信機増幅器は低雑音増幅器を含む、請求項２に記載の無線中継器アセンブリ。
【請求項４】
送信機増幅器は電力増幅器を含み、送信機フィルタは帯域通過フィルタを含み、送信アンテナは高利得アンテナを含む、請求項２に記載の無線中継器アセンブリ。
【請求項５】
受信アンテナは高利得アンテナを含み、受信機フィルタは帯域通過フィルタを含み、受信機増幅器は低雑音増幅器を含み、送信機増幅器は電力増幅器を含み、送信機フィルタは帯域通過フィルタを含み、送信アンテナは高利得アンテナを含む、請求項２に記載の無線中継器アセンブリ。
【請求項６】
無線中継器アセンブリは壁を通して第２の無線中継器アセンブリに送信することができ、無線中継器アセンブリおよび第２の無線中継器アセンブリは、対向する壁の両側で互いに近接する、請求項２に記載の無線中継器アセンブリ。
【請求項７】
データを確保するために受信機と送信機との間に位置決めされたバッファメモリをさらに含む、請求項５に記載の無線中継器アセンブリ。
【請求項８】
受信機はさらにアナログデジタルコンバータを含み、送信機はさらにデジタルアナログコンバータを含む、請求項７に記載の無線中継器アセンブリ。
【請求項９】
無線中継器アセンブリは光源の電力アダプタと通信し、無線中継器アセンブリは電力アダプタから動作電力を得る、請求項６に記載の無線中継器アセンブリ。
【請求項１０】
無線中継器アセンブリは地面の少なくとも２メータ上に位置決めされる、請求項７に記載の無線中継器アセンブリ。
【請求項１１】
無線中継器は、無線中継器アセンブリの５メータ以内で約６０ＧＨｚで作動するアナログ信号について、方位角において約９０度、仰角において約９０〜１８０度の範囲で走査することができる、請求項７に記載の無線中継器アセンブリ。
【請求項１２】
無線中継器アセンブリは直流で動力供給される、請求項７に記載の無線中継器アセンブリ。
【請求項１３】
液晶ポリマを含む最上層を含み、最上層は最上層キャビティを規定し、さらに
耐火物４を有する下端層を含む、無線中継器アセンブリ。
【誤訳訂正２】
【訂正対象書類名】明細書
【訂正対象項目名】全文
【訂正方法】変更
【訂正の内容】
【発明の詳細な説明】
【技術分野】
【０００１】
発明の背景
１．  発明の分野
この発明は、通信網と、より特定的には、超高速パーソナルエリアネットワークにおける受信機および送信機を含む無線中継器とに関する。
【背景技術】
【０００２】
２．  関連技術の説明
世界が電子装置および携帯装置にさらに頼るようになるにつれて、より高速でより便利な装置に対する要望が引続き増大している。したがって、そのような装置の製造業者および設計者は、消費者の需要に応えるように、より高速でより容易に使える装置を製造するよう努力している。
【０００３】
実際、特に多くの新しいマルチメディア用途の出現に起因して、超高速データレート無線通信の需要が増加している。これらの高速データレートでは制限があるので、超高速パーソナルエリアネットワーキング（ＰＡＮ）および一対一ポイントまたは一対多ポイント
データリンクの需要が重要になる。
【０００４】
以前は、従来の無線ローカルエリアネットワーク（ＷＬＡＮ）、たとえば８０２．１１ａ、８０２．１１ｂ、８０２．１１ｇ規格は、最良の場合で、僅かに５４Ｍｂ／ｓのデータレートに限定される。超広帯域（ＵＷＢ）および複数入力／複数出力（ＭｌＭＯ）システムなどの他の高速無線通信は、１００Ｍｂ／ｓまでデータレートを拡張することができる。
【０００５】
毎秒ギガビット（Ｇｂ／ｓ）のスペクトルを通って進むためには、スペクトル効率または利用可能な帯域幅のいずれかが増大されなければならない。結果として、ミリメートル波（ＭＭＷ）周波数で作動する最近の技術およびシステムの開発は、そのようなデータ速度に達することに対する要求につれて増大している。
【０００６】
幸運にも、多くの政府が、数ＧＨｚ（ギガヘルツ）帯域幅のライセンスされていない産業、科学、医療機器用（ＩＳＭ）帯域を６０ＧＨｚのスペクトルにおいて利用可能にしている。たとえば米国は、連邦通信委員会（ＦＣＣ）を通して、米国内のライセンスされていない用途に５９−６４ＧＨｚを割当てた。同様に、日本は高速データ通信に５９−６６ＧＨｚを割当てた。また、ヨーロッパは広帯域移動通信およびＷＬＡＮ通信用に５９−６２、６２−６３、および６５−６６ＧＨｚを割当てた。このスペクトルにおいて周波数が利用可能であることは、超高速短距離無線通信の機会を示すものである。
【発明の開示】
【発明が解決しようとする課題】
【０００７】
不都合にも、高周波の利点をもってしても、いくつかの根本的な欠点がある。たとえば、６０ＧＨｚの高速屋内通信システムの１つの根本的な制限は、見通し線（line of sight）（ＬＯＳ）の、しばしば人体による妨害によって生じる、シャドウイング効果によるチャネル劣化である。たとえば個人または他の物体が、たとえば送信機と受信機の間の見通し線に単に入ることによって、通信システムの伝達に干渉した場合、通信信号が衰えるか、または一時的に完全に失われることがある。したがって、最良の伝達は直接的なＬＯＳ関係で達成することができる。
【課題を解決するための手段】
【０００８】
したがって、必要となるのは、超高速データ送信における極高周波の効率的かつ便利な伝達のための容易かつ邪魔のないＬＯＳを可能にするための装置およびシステムである。この発明が本来検出されるのは、そのような装置である。
【０００９】
発明の概略
この発明は、超高速無線通信のための無線中継器アセンブリである。無線中継器アセンブリは、受信機と通信する第１のアンテナと、送信機と通信する第２のアンテナとを含む。
【００１０】
中継器の受信機および送信機は、自動機械的走査システムに取付けることができるか、または電子走査性能を特徴とする。したがって、中継器は、戦略的に位置決めされた基地局との位置合わせを自動的に実行することができる。
【００１１】
代替的には、マルチセクタ中継器は、扇形の受信範囲を与えるＮ個の受信機／送信機を含み、したがって、多くの走査機構の需要を緩和することができる。
【００１２】
好ましくは、中継器の第１のアンテナおよび第２のアンテナは、約６０ＧＨｚ、つまり５４〜６６ＧＨｚの範囲で作動することができ、少なくとも約５Ｇｂ／ｓでデータ通信を
送受信する。
【００１３】
この発明は、中継器が中継器に近接した他の受信機および送信機と通信するために見通しの喪失の問題を最小限にするよう、戦略的に位置決めされた中継器を与える。
【００１４】
無線中継器アセンブリは、無線データ通信を受取るための受信機を含むことができ、そこで受信機は、アナログ信号を受取るための受信アンテナと、予め定められた範囲の周波数が受話機増幅器へと通ることを可能にするよう適合された受信機フィルタと、受信機フィルタから放射された信号を昇圧するための受信機増幅器とを含み、さらに無線データ通信を送信するための送信機を含み、そこで送信機は、受信機から来る信号を昇圧するための送信機増幅器と、予め定められた範囲の周波数が送信アンテナへと通ることを可能にするよう適合された送信機フィルタと、中継器アセンブリからの信号を送信するための送信アンテナとを含み、さらに受信機および送信機の間に配線接続を含み、受信機および送信機は有線通信している。
【００１５】
受信アンテナは約６０ＧＨｚを受取るよう調整され得、送信アンテナは約６０ＧＨｚで送信するよう調整される。
【００１６】
受信アンテナは高利得アンテナを含むことができ、受信機フィルタは帯域通過フィルタを含むことができ、そこで受信機増幅器は低雑音増幅器を含むことができる。送信機増幅器は電力増幅器を含むことができ、送信機フィルタは帯域通過フィルタを含むことができ、そこで送信アンテナは高利得アンテナを含むことができる。
【００１７】
無線中継器は、受信機と送信機との間に位置決めされたデータを確保するためのバッファメモリをさらに含むことができる。
【００１８】
受信機はさらにアナログデジタルコンバータを含むことができ、送信機はさらにデジタルアナログコンバータを含むことができる。
【００１９】
無線中継器アセンブリは少なくとも２層、最上層および下端層を含むことができ、そこで最上層は液晶ポリマを含み、下端層は耐火物４を含む。
【００２０】
無線中継器は光源の電力アダプタと通信することができ、無線中継器アセンブリは電力アダプタから動作電力を得る。さらに、無線中継器アセンブリは地面から少なくとも２メータ上に位置決めされることができる。
【００２１】
無線中継器アセンブリは壁を通して第２の無線中継器アセンブリに送信することができ、無線中継器アセンブリおよび第２の無線中継器アセンブリは、対向する壁の両側で互いに近接する。
【００２２】
無線中継器は、無線中継器アセンブリの５メータ以内で約６０ＧＨｚで作動するアナログ信号について方位角で約９０度、また仰角で約９０〜１８０度の範囲を走査することができる。無線中継器アセンブリは好ましくは直流で電力供給される。
【００２３】
この発明のこれらの、および他の目的、機構ならびに利点は、添付の図面に関連して以下の説明を読むことでより明らかになるだろう。
【発明を実施するための最良の形態】
【００２４】
発明の詳細な説明
発明の原理および機構についての理解を容易にするために、例示的な実施例における実
現例を参照して以下に説明する。この発明は、特に、通信信号の反復を可能にする無線中継器アセンブリのコンテキストで記載され、さらに、無線送信機の範囲を拡張する。
【００２５】
しかしながら、この発明は、超高速通信用無線中継器アセンブリとしての使用に限定されない。むしろこの発明は、中継器が所望されるとき、または必要に応じて、用いることができる。したがって、無線中継器として下記に記載される装置はまた、無線中継器の用途を越えて、他の応用例のための装置としての用途を見つけることができる。
【００２６】
さらに、この発明のさまざまな要素を構築する以下に記載される材料は、例示的であって限定的ではないように意図される。本願明細書に記載した材料と同じまたは同様の機能を実行する多くの適切な材料がこの発明の範囲内に包含されるように意図される。本願明細書に記載されないそのような他の材料は、たとえばこの発明の開発後に開発された材料を含むことができるが、これらに限定されない。
【００２７】
この発明は好ましい周波数範囲内で作動するように記載されるが、当業者は、中継器アセンブリがほとんどの利用可能な周波数で作動できることを認識するであろう。さらに、この発明が好ましいデータ送信速度の範囲で作動するように記載されるが、当業者は、中継器アセンブリがほとんどのデータ送信速度で作動できることを認識するであろう。
【００２８】
図１は、通信信号を繰り返し、無線送信機の範囲を拡張するための、無線中継器アセンブリ１００を示す。無線中継器アセンブリ１００は受信機１１０および送信機１２０を含む。受信機１１０は、アンテナ１１２、フィルタ１１４および増幅器１１６を含むことができる。中継器アセンブリ１００の受信機１１０は、特定の周波数で送信する信号を受信するよう適合されてもよい。送信機１２０は、増幅器１２２、フィルタ１２４およびアンテナ１２６を含むことができる。中継器アセンブリ１００の送信機１２０は、特定の周波数で信号を送信するよう適合されてもよい。
【００２９】
好ましい実施例では、中継器アセンブリ１００の受信機１１０および送信機１２０は通信している。実際、好ましくは、受信機１１０と送信機１２０とは配線接続１３０を介して通信している。
【００３０】
受信機１１０はアンテナ１１２を含む。好ましくは、アンテナ１１２は約６０ＧＨｚ、すなわち５４〜６６ＧＨｚの範囲の周波数を受信するよう適合されている。アンテナ１１２は、焦点を絞った狭い電波ビーム幅を有するアンテナである高利得アンテナであり得る。狭いビーム幅により、信号を得るのに正確にターゲットとすることができる。高利得アンテナはしばしば指向性アンテナとも呼ばれる。好ましくはより広い放射範囲を示す中利得アンテナは、マルチセクタ実施例で用いることができる。
【００３１】
受信機１１０はさらにフィルタ１１４を含む。好ましくは、フィルタ１１４は帯域通過フィルタである。典型的には、帯域通過フィルタは、一定の範囲をフィルタして、周波数が通り抜けるのを可能にする電子回路であり得る。好ましい帯域通過フィルタは、たとえば５４〜６６ＧＨｚの範囲の周波数が通ることができるようにする一方で、設定範囲外の周波数は減衰されるか、または消失する。
【００３２】
受信機１１０はさらに増幅器１１６を含むことができる。増幅器１１６は、好ましくは低雑音増幅器である。低雑音増幅器は、信号対雑音比を劣化させることなく、フィルタ１１４によってフィルタされた信号に昇圧を与えるか、またはその利得を増加させることができる。
【００３３】
送信機１２０は増幅器１２２を含む。好ましくは、増幅器１２２は電力増幅器である。
電力増幅器は信号を昇圧することができ、より大きな負荷を生成する。
【００３４】
送信機１２０はさらにフィルタ１２４を含む。フィルタ１２４は、好ましい実施例では、帯域通過フィルタであり得る。
【００３５】
送信機１２０はさらにアンテナ１２６を含む。受信機１１０用のアンテナ１１２のように、送信機１２０用のアンテナ１２６は、好ましくは高利得アンテナであって、中継器アセンブリ１００から信号を送信するよう適合されている。
【００３６】
この発明の好ましい実施例では、中継器アセンブリ１００は、送信機１２０および受信機１１０をそれぞれ通して、５４〜６６ＧＨｚの範囲で送受信することができる。典型的には、この範囲、すなわち約６０ＧＨｚは、短距離用途で用いられる装置を含む。
【００３７】
図２は別の中継器アセンブリ２００を示す。中継器アセンブリ２００が示される。中継器アセンブリ２００は、受信機アンテナ２０２、受信機２０４、バッファメモリ装置２０６、送信機２０８、および送信機アンテナ２１０を含む。
【００３８】
受信機アンテナ２０２は上述のアンテナ１１２に類似した作動をする。受信機アンテナ２０２は受信機２０４と通信している。受信機２０４はＡＤＣ、すなわちアナログデジタルコンバータを含むことができる。ＡＤＣは信号をアナログからデジタル信号に変換する。受信機アンテナ２０２から得られたアナログ信号はデジタル信号に変換される。好ましくは、受信機２０４は約６０ＧＨｚで作動することができる。
【００３９】
特に受信機２０４が送信機２０８と通信しているとき、バッファメモリ装置２０６がデータを包含するよう適合されてもよい。好ましくは、送信機２０８はＤＡＣ、すなわちデジタルアナログコンバータを含む。ＤＡＣは、デジタル信号をアナログ信号に変換し、そこで中継器２００は送信機アンテナ２１０を介してデジタル信号を送信することができる。送信機２０８は約６０ＧＨｚで作動することができる。
【００４０】
例示的な実施例では、図３に示されるように、中継器アセンブリは装置通信スキームで実行することができる。たとえば、装置３００は内蔵モジュール３０５またはプラグ接続可能なモジュール３１０のいずれかを有することができる。内蔵モジュール３０５は装置３００内蔵であってもよい。代替的には、プラグ接続可能なモジュール３１０が装置３００の背面側にプラグ接続可能である。好ましくは、装置３００の背面側は専用デジタルインターフェースを含む。結果として、モジュール３０５または３１０の使用を通じて、通信配線が減じられ、またはある場合にはなくすことさえできる。
【００４１】
好ましい実施例では、中継器アセンブリのモジュール３０５および３１０は、少なくとも２層、最上層３１２および下端層３１４を含むことができる。最上層３１２は好ましくは液晶ポリマ（ＬＣＰ）で構成される一方、下端層３１４は好ましくはＦＲ４（耐火物４）から構成される。最上層３１２および下端層３１４は、接着剤、好ましくは３Ｍ−９７１３で接続される。
【００４２】
特許出願「マルチギガビット無線システムのための受信機アセンブリおよび方法（Receiver Assembly and Method for Multi-Gigabit Wireless Systems）」は、さらにこの基板の層状化を記載する。同じ発明主体を有するこの特許出願は本願と同じ日付（２００６年３月３１日）に出願され、全内容および要旨が本願明細書に引用によって援用される。
【００４３】
さらに、モジュール３０５および３１０とともに高利得、高指向性アンテナを使用することにより、装置３００を構築し、または保持／固定し得る、たとえば木および／または
ガラスなどの材料３１５を通したデータ送信が可能になり得る。モジュール３０５および３１０のアンテナの高指向性により、異なる装置間無線モジュール間では近接した位置合わせが好ましい。
【００４４】
実際、この概念は、図４に示されるように、別の実施例に拡張することができ、無線中継器４００は装置間ドッキングに用いることができる。無線中継器４００はテーブルの上に、または示されるようにデスクの上に、位置することができる。次いで、無線中継器４００はドッキング用途に対応するための遠隔の基地局として実行することができる。
【００４５】
たとえば、無線中継器４００は、いくつかの周辺装置、たとえばラップトップ、デジタルカメラ、モニタ、移動音楽装置（ＭＰ３プレーヤー）、プリンタ、スキャナ、デスクトップなどと通信することができる。
【００４６】
ここで図５を参照して、６０ＧＨｚの無線ドッキングステーション用のピラミッド形マルチセクタアンテナ５００が示される。ピラミッド形アンテナ５００は、好ましくは方位角で３６０度をカバーすることができる。マルチセクタアンテナ５００のセクタの各々は、必要な、または所望のカバー範囲に依存して、低利得から中利得の単一パッチアンテナ、または１×２のパッチアンテナアレイ５１０を支持することができる。さらに、線偏波または円偏波型アンテナを用いることができる。好ましい実施例では、ピラミッド形のアンテナ５００の寸法は、約ｌ．８×１．８×１．８立方センチメートルの好ましい体積でその集積化（integration）と互換性をもつ。
【００４７】
記載されたように、超高周波、超高速通信の制限のうち１つは、見通し線の制限である。図６は、中継器６００が見通し線の制限を減じるのにどのくらい有用になり得るかを示す多くの例を示す。示されるように、この制限は経路冗長性の確立により克服することができる。図６の図は、単一の中継器６００が、妨害のある典型的な場合において、単一の部屋内で十分な経路冗長性を形成することができることを示す。２つ以上の中継器６００を使用することにより、このように向上した中継器システムを形成することができ、そこでは、送信機６１０から受信機６２０に信号を送信するために、すべてでないにしてもほとんどの妨害を回避することができる。
【００４８】
図７は、受信機７１０の例示的な高水準アーキテクチャを示す。このアーキテクチャは、所望のカバー範囲およびアンテナの選択に依存して、マルチセクタ構成に配置することができる複数のトランシーバ（受信機プラス送信機）を含む。図７は２セクタの例を示す。
【００４９】
図７の無線中継器７００は受信機７１０および送信機７２０を含むことができる。受信機７２０および送信機７２０は、中継器７００が周辺の基地局との最適の位置合わせを自動的に実行することができる、自動機械走査システムに取付けることができる。一連の機械走査の範囲は、必要なカバー範囲を確立し、与えるために、方位角において好ましくは約９０度、仰角において約９０〜１８０度である。特に中継器７００が送信基地局に近接して位置決めされ、十分な電力を受取り、かつ受容可能な信号対雑音比を維持する場合には、受信機７１０のための全方向型指向性アンテナの使用によって、複雑さおよびシステムコストさえも減じることができる。好ましくは、中継器７００は、シャドウイングおよびリンク中断を減じるため、かつ人体の妨害をしばしば回避するために、地面から約２メータのところに位置決めされる。
【００５０】
無線中継器に動力を供給することは困難である。中継器が無線なので、消費者が無線中継器に最も望まないものは電力配線である。したがって、屋内環境の既存の照明装置と通信する無線中継器の配置が有利である。まず、既存の電源の使用により、無線中継器のた
めの付加的な電気配線および設置の需要が抑えられる。第２に、照明装置は典型的には地面の上に位置するため、異なる無線ノード間に見通線伝搬経路を容易に確立するのに好適である。
【００５１】
図８は、無線中継器のための電力アダプタアセンブリ８００を示す。好ましい実施例では、電力アダプタアセンブリ８００は、見通し線妨害またはスルーウォールリンクなどの、強固な６０ＧＨｚ、５Ｇｂ／ｓの無線リンクを可能にすることができる。６０ＧＨｚの高速屋内通信システムの根本的な制限は、多くの場合、人体による見通し線の妨害とともに生じるシャドウイング効果によるチャネル劣化である。著しいシャドウイング状態において、受信信号が感度しきい値以下に落下するとすぐに第２のアクセスポイントに切替えることにより、マクロダーバーシティが適用され得る。さらに、アクセスポイントの位置および構成（たとえば天井に取付けたベースアンテナ、コーナ部に取付けたベースアンテナおよび／または壁に取付けたベースアンテナ）は、純粋なチャンネル性能を保証するための重要なパラメータと考えられる。
【００５２】
このように、無線中継器は小さな形状因子を有することができるので、既存の照明装置９００の中にプラグインすることができる。これは図９に示される。好ましい実施例では、電力アダプタ８００の使用は、取付けられた６０ＧＨｚの無線中継器を多くの既存の照明装置で受入れるよう適合されることができる。さらに、新しい照明システムは、無線ノード、または無線中継器とともに設置されることができる。
【００５３】
図１０は、壁１００５を通して送信するよう適合された無線中継器１０００を示す。たとえば、無線中継器１０００は、６０ＧＨｚの信号を（電気的または光学的な）配線接続なしで隣接した部屋に送信する、スルーウォール（コンクリート、石膏ボードなど）リンクを与えることができる。好ましくは、各無線スルーウォール中継器１０００は受信機１０１０および送信機１０２０を含む。
【００５４】
スルーウォール中継器１０００の受信機／送信機は自動機械走査システムに取付けられ、かつ／または、扇形のカバー範囲を支持するためにマルチセクタトポロジを特色とすることができる。したがって、中継器１０００は、好ましくは中継器１０００と同じ部屋内で、近接して位置する基地局との最適の位置合わせを自動的に実行することができる。好ましくは、機械走査の範囲は、好ましいカバー範囲を与えるために、方位角において約１８０度、仰角において約９０〜１８０度の範囲である。さらに、好ましい実施例では、中継器１０００は、人体の妨害によるシャドウイングおよびリンク中断を減じる、地上少なくとも２メータのところに位置決めされる。
【００５５】
スルーウォールの中継器１０００の専用受信機／送信機は、中継器１０００の背面に固定することができ、そこで壁と直接接触する。２装置の実施例は、好ましくは壁の両側で、好ましくは＋／−５ｃｍ内で位置合わせされ、強固なリンク機構を与える。
【００５６】
中継器１０００は、（上述され、また参照された特許出願の）ＬＣＰ−ＦＲ４技術で実現された受信機１０１０（たとえば６０ＧＨｚのモジュール）、および送信機１０２０（たとえば６０ＧＨｚのモジュール）を含むことができる。中継器モジュール（図２を参照）の改良型は、完全な送受信機および基地局と中継器との間の著しいリンク中断を補うバッファメモリを含む。
【００５７】
本願明細書に記載された無線中継器は、好ましくはＤＣ（直流）電源で作動することができる。たとえば、ＤＣ電源は、電池、標準ＡＣ−ＤＣプラグ、または照明システムにプラグ接続して電力を導き出すＡＣ−ＤＣアダプタであり得る。
【００５８】
この発明は好ましい形で開示されているが、以下の請求項に述べられるようなこの発明とその等価物との精神および範囲から逸脱せずに、多くの修正、追加および削除をなすことができることは、当業者には明らかであろう。
【図面の簡単な説明】
【００５９】
【図１】この発明の好ましい実施例に従う無線中継器アセンブリを示す図である。
【図２】この発明の好ましい実施例に従う無線中継器アセンブリの別の実施例を示す図である。
【図３】この発明の好ましい実施例に従う、無線中継器アセンブリを用いた装置間通信スキームを示す図である。
【図４】この発明の好ましい実施例に従う、無線中継器アセンブリを用いた装置間ドッキングシステムを示す図である。
【図５】この発明の好ましい実施例に従う、ピラミッド形のマルチセクタアンテナを示す図である。
【図６】この発明の好ましい実施例に従う、別の送信機および受信機との関係における無線中継器アセンブリの位置決めの多くの図を示す。
【図７】この発明の好ましい実施例に従う、送信／受信データ通信の角度を示す、無線中継器環境を示す図である。
【図８】この発明の好ましい実施例に従う、無線中継器アセンブリ用の電力アダプタアセンブリを示す図である。
【図９】この発明の好ましい実施例に従う、無線中継器アセンブリ用の電力アダプタを位置決めする例示的な実施例を示す。
【図１０】この発明の好ましい実施例に従う、スルーウォール中継器アセンブリを示す図である。
【国際調査報告】
2009535975.tif 000013
2009535975.tif 000014
2009535975.tif 000015